(57)【要約】【課題】扉の開閉操作に連続して扉回動を固定操作可能とすると共に、固定手段を扉と一体化して紛失を防ぐこと。【解決手段】前記左右一対の羽根板のいずれか一方の羽根板と平行して扉または扉支持体に固定自在である支持板と、該支持板と一体の横枢軸と、該横枢軸に枢支されて上下方向に回動自在である可倒板とよりなり、可倒板の係止縁が扉開位置を規制することを特徴とする扉開位置規制具。【選択図】      図１
2004257127.tif 000002
【特許請求の範囲】
【請求項１】
左右一対の羽根板と枢軸とよりなる蝶番を取付けた扉に付設される扉開位置規制具であって：
前記左右一対の羽根板のいずれか一方の羽根板と平行して扉または扉支持体に固定自在である支持板と、該支持板と一体の横枢軸と、該横枢軸に枢支されて上下方向に回動自在である可倒板とよりなり、
可倒板の係止縁が扉開位置を規制することを特徴とする扉開位置規制具。
【請求項２】
前記可倒板の係止縁に弾性接等片を固定して、可倒板の係止縁が扉開位置を規制するにあたり弾性接等片が変形することを特徴とする扉開位置規制具。
【請求項３】
左右一対の羽根板と枢軸とよりなる蝶番を取付けた扉に付設される扉開位置規制具であって：
前記左右一対の羽根板のいずれか一方の羽根板と平行して扉または扉支持体に固定自在である支持板と、該支持板と一体の横枢軸と、該横枢軸に枢支されて上下方向に回動自在である可倒板とよりなる本体部と、
他方の羽根板と平行して扉または扉支持体に固定自在である当板よりなる補助部とよりなり、
係止部の可倒板の係止縁が当板と接等することで扉開位置を規制することを特徴とする扉開位置規制具。
【請求項４】
本体部および補助部を蝶番の上方に連設して、
蝶番の一方の羽根板の上方延長部で本体部の支持板を形成し、蝶番の他方の羽根板の上方延長部で補助部の当板を形成したことを特徴とする、請求項２に記載する扉開位置規制具。
【発明の詳細な説明】
【０００１】
【発明の属する技術分野】
本願発明は、蝶番を取付けた扉の開放角度を設定位置に維持するための扉開位置規制具に関するものである。
【０００２】
【従来の技術】
扉の開放状態を維持する手段として、床や壁面に取付けた固定金具、フック機能を有する止め具を使用するものが公知であるが、扉の開閉操作と独立して固定金具・止め具の使用という追加操作を必要とする問題点がある。この問題点を解消する物として、扉に固定した蝶番を利用したものとして、特開２００２−２５０１６９「蝶番羽根板の回動規制具」（特許文献１）が存在する。
【０００３】
【特許文献１】
特開２００２−２５０１６９「蝶番羽根板の回動規制具」
【０００４】
【発明が解決しょうとする課題】
特許文献１の発明は、羽根板の上端縁との嵌合部を有する付属部品を使用している。従って、別箇所に保管している付属品を取出して使用する必要があり、また、付属品の紛失により、羽根板の固定が不可能となる問題点がある。
よって、本発明は、扉の開閉操作に連続して扉回動を固定操作可能とすると共に、固定手段を扉と一体化して紛失を防ぐことを課題とする。
【０００５】
【課題を解決するための手段】
本願の請求項１の発明は、前記左右一対の羽根板のいずれか一方の羽根板と平行して扉または扉支持体に固定自在である支持板と、該支持板と一体の横枢軸と、該横枢軸に枢支されて上下方向に回動自在である可倒板とにより、扉開位置規制具を構成する。
本願の請求項２の発明は、請求項１の発明における可倒板の係止縁に弾性接等片を固定してたことを特徴とする扉開位置規制具。
本願の請求項３の発明は、前記左右一対の羽根板のいずれか一方の羽根板と平行して扉または扉支持体に固定自在である支持板と、該支持板と一体の横枢軸と、該横枢軸に枢支されて上下方向に回動自在である可倒板とよりなる本体部と、他方の羽根板と平行して扉または扉支持体に固定自在である当板よりなる補助部とより、扉開位置規制具を構成する。
本願の請求項４の発明は、本体部および補助部を蝶番の上方に連設して、蝶番と扉開位置規制具と一体化したことを特徴とする。
【０００６】
【発明の実施の形態】
本願の請求項１の発明は、柱等と扉との間に蝶番を取付け、扉を閉位置と開位置とに回動自在とした柱等または扉に、四角形状の支持板を固定する。支持板に、蝶番の枢軸と直角方向の横枢軸を介して可倒板を装備することにより、支持板と、可倒板と、横枢軸とで、扉回動規制具を構成する。
本願の請求項２の発明は、前記可倒板の係止縁にゴム性端片を固定する。
本願の請求項３の発明は、請求項１の扉開位置規制具を本体部とし、他方の羽根板と平行して扉または扉支持体に、本体部の支持板に対向する位置に当板を固定して補助部を付加する。
本願の請求項４の発明は、蝶番と一体化して構成する。蝶番の一方の羽根板の上方延長部で係止部の支持板を形成する。蝶番の他方の羽根板の上方延長部で補助部の当板を形成する。
【０００７】
【実施例】
図７および図８を参照して、蝶番２を柱等又は壁端面（以下柱等という）３と扉４との間に取付けることで、扉４を閉位置と開位置とに回動自在とする。
【０００８】
図７は、扉４を閉位置とする状態を示し、廊下５の通過を自由とし、部屋６への出入りを阻止する。蝶番２の左右一対の羽根板２０は枢軸２１を中心として折曲がり互いに対接している。
【０００９】
図８は、扉４を開位置とする状態を示し、廊下５の通過を自由とし、且つ、部屋６への出入りを自由とする。蝶番２の左右一対の羽根板２０は枢軸２１を中心として互いに開き平面視直線状である。
【００１０】
図９は、扉４を本願発明による半開位置とする状態を示し、Ｐゾーンから部屋６およびＰゾーンからＱゾーンへの出入りを自由とする。しかし、ＱゾーンよりＰゾーンへの廊下５の通過を扉４により阻止する。蝶番２の左右一対の羽根板２０は枢軸２１を中心として９０度の角度で開き平面視Ｌ状である。
【００１１】
図１０は、回動範囲を９０度とする扉への本願発明の使用例を示すものである。
【００１２】
図１は、本願請求項１の発明の実施例を示す扉開位置規制具１であり、四角形状の金属製支持板１１を柱等３または扉４にビス７を介して固定する。蝶番２の枢軸２１と直角方向の横枢軸１２と、前記横枢軸１２を支持する支持板１１と、前記横枢軸１２に枢支されて上下方向に回動自在である可倒板１３とで構成する。
１５は、可倒板１３の端縁に装備した弾性接等片（帯状ゴム板）である。
【００１３】
図２は、本願請求項３の発明の実施例を示す扉開位置規制具を示し、図１の扉開位置規制具１を本体部１Ａとし、他方の羽根板と平行して扉または扉支持体に、本体部１Ａの支持板１１に対向する位置に当板１４を固定して構成した補助部１Ｂを付加する。
【００１４】
図３は、本願の請求項４の発明は、蝶番２と一体化して構成する。蝶番２の一方の羽根板２０の上方部で支持板１１を形成する。蝶番２の他方の羽根板２０の上方部で補助部の当板１４を形成する。
【００１５】
図４は、可倒板１３を丸みのある形状、即ち、曲線形状として安全性を高めた実施例を示す。横枢軸１２の軸径を縮小することで、閉状態で横枢軸１２および可倒板１３の存在が邪魔となることを防ぐことができる。
【００１６】
図５は、可倒板１３の待機状態（非作用状態）を示し、可倒板１３がおじぎ状態（作用状態）（図５に仮想線表示）となるのを防ぐため、扉または扉支持体側へ角度をつけた状態とするのが望ましい。可倒板１３は成形弾性体（例えば、合成ゴム成形品、軟質合成樹脂成形品）とし、金属平板とし短縁１３ａを、扉４の９０度回動の手前で係止する構造とすることが望ましい。
【００１７】
図６は、扉４の９０度回動の手前で、可倒板１３の端縁の作用により、可倒板１３が水平状態に維持されて、図９の半開状態に対応するものである。
【００１８】
図５は、可倒板１３を上方垂直位置（実線表示）として、図７の開位置に対応する物である。
【００１９】
可倒板１３の水平状態では、係止状態が維持されることにより、風で扉が閉じることがなく、図９の開状態が維持される。更に、実施例では、廊下の通過阻止機能も維持される。不用意に図７の閉状態への変化を阻止できる。
図９の状態（図６の状態）で、扉４を回動操作することで、可倒板１３の端縁１３ａは係止状態が解除されることで、図８の開位置に簡単に戻すことができる。
【００２０】
【発明の効果】
本願発明は、蝶番の枢軸と直角方向の横枢軸と、前記横枢軸を支持する支持板と、前記横枢軸に枢支されて上下方向に回動自在である可倒板とよりなり、可倒板の端縁が接当することで扉開位置を規制するものであるから、可倒板が作用する平面視Ｌ状の扉開口状態を確実に維持することができる。また、可倒板を非作用位置とすることで、本発明の可倒板の存在に対して何らの支障を生じることなく通常の扉開閉状態を維持することができる。
【図面の簡単な説明】
【図１】本願請求項１および２の発明の扉開位置規制具の平面図。
【図２】本願請求項３の発明の扉開位置規制具の平面図。
【図３】本願請求項４の発明の扉開位置規制具の平面図。
【図４】可倒板の他の実施例を示す平面図。
【図５】可倒板の側面図。
【図６】同じく可倒板の作用状態での要部を示す説明図で、ａ図は支持板の正面視、ｂ図は支持板の側面視で示す。
【図７】本願発明の扉開位置規制具の使用状態の平面図で、扉全閉状態で示す。
【図８】同じく使用状態の平面図で、扉全開状態で示す。
【図９】同じく使用状態の平面図で、扉半開状態［即ち可倒板の作用状態で平面視Ｌ状の開口状態］で示す。
【図１０】同じく他の使用例を示す平面図。
【符号の説明】
１    扉開位置規制具
１Ａ  本体部
１Ｂ  補助部
２    蝶番
３    柱等
４    扉
１１  支持板
１２  横枢軸
１３  可倒板
１３ａ  端縁
１４  当板
２０  羽根板
２１  枢軸
【図１】
2004257127.tif 000003
【図２】
2004257127.tif 000004
【図３】
2004257127.tif 000005
【図４】
2004257127.tif 000006
【図５】
2004257127.tif 000007
【図６】
2004257127.tif 000008
【図７】
2004257127.tif 000009
【図８】
2004257127.tif 000010
【図９】
2004257127.tif 000011
【図１０】
2004257127.tif 000012